(57)【要約】【課題】電装箱内に空気を流通させることが可能な室外ユニットを提供する。【解決手段】上吹きの送風機を備えた室外ユニット１０において、外装体１１の正面に、電装箱５０を、送風機のベルマウス２５の略矩形状下端縁１６に背板５０Ａ１を当接させて配置し、この電装箱５０は、当該電装箱５０の背板５０Ａ１の上部に、電装箱５０の背板５０Ａ１とベルマウス２５との間の空間Ｒ１に開口する吸い込み部５１を備え、この吸い込み部５１から圧力差で吸い込んだ空気を、電装箱５０内を通流させて電装箱５０内の電子部品Ｃ類を冷却し、この空気をベルマウス２５の下方の空間Ｒ２内に吐き出す吐き出し部５２を備える構成とした。【選択図】図１１
2014129924.tif 000002
【特許請求の範囲】
【請求項１】
上吹きの送風機を備えた室外ユニットにおいて、
外装体の正面に、電装箱を、前記送風機のベルマウスの略矩形状下端縁に背板を当接させて配置し、
この電装箱は、
当該電装箱の背板の上部に、前記電装箱の背板と前記ベルマウスとの間の空間に開口する吸い込み部を備え、この吸い込み部から圧力差で吸い込んだ空気を、電装箱内を通流させて前記電装箱内の電子部品類を冷却し、この空気を前記ベルマウスの下方の空間内に吐き出す吐き出し部を備えた、
ことを特徴とする室外ユニット。
【請求項２】
前記吸い込み部はカバーを備え、空気が、カバーの内側を下から上に流れて前記電装箱に流入することを特徴とする請求項１に記載の室外ユニット。
【請求項３】
前記カバーの内側に埃、ミスト等の侵入を阻止するためのラビリンス構造を付加したことを特徴とする請求項１又は２に記載の室外ユニット。
【請求項４】
前記吐き出し部は前記ベルマウスの下方の空間内に突出する筒体を備え、この筒体を通った空気が、前記外装体内の気流の中に吐き出されることを特徴とする請求項１乃至３の何れかに記載の室外ユニット。
【請求項５】
前記筒体の底部が前下がりであることを特徴とする請求項４に記載の室外ユニット。
【請求項６】
前記電装箱内の背板に部品取り付け板を浮かせて配置し、この部品取り付け板の裏側を、上から下への空気の流通の通路としたことを特徴とする請求項１乃至５の何れかに記載の室外ユニット。
【請求項７】
前記部品取り付け板の必要な箇所に開口を設け、電子部品をピンポイントに冷却可能としたことを特徴とする請求項６に記載の室外ユニット。
【発明の詳細な説明】
【技術分野】
【０００１】
本発明は、外装体内に電装箱を備える室外ユニットに関する。
【背景技術】
【０００２】
従来、空気調和装置の室外ユニットにおいて、外装体内に電装箱を備えたものが知られている（例えば、特許文献１参照）。この室外ユニットの内部は仕切板によって熱交換室と機械室に仕切られており、熱交換室側に送風機が設けられている。電装箱は、仕切板を跨いで配置され、機械室側に吸い込み口を、熱交換室側に吐き出し口を備え、熱交換室と機械室の圧力の差によって、電装箱内に空気を流通させて電装箱内の電子部品類を冷却ように構成されている。
【先行技術文献】
【特許文献】
【０００３】
【特許文献１】特開２０１１−１３７６１０号公報
【発明の概要】
【発明が解決しようとする課題】
【０００４】
しかしながら、上記従来の構成では、仕切り板を備えない場合に吸い込み口と吐き出し口との間に圧力差が生じ難いため、電装箱内に空気を流通させることができなくなる。
本発明は、上述した事情に鑑みてなされたものであり、電装箱内に空気を流通させることが可能な室外ユニットを提供することを目的とする。
【課題を解決するための手段】
【０００５】
上記目的を達成するために、本発明は、上吹きの送風機を備えた室外ユニットにおいて、外装体の正面に、電装箱を、前記送風機のベルマウスの略矩形状下端縁に背板を当接させて配置し、この電装箱は、当該電装箱の背板の上部に、前記電装箱の背板と前記ベルマウスとの間の空間に開口する吸い込み部を備え、この吸い込み部から圧力差で吸い込んだ空気を、電装箱内を通流させて前記電装箱内の電子部品類を冷却し、この空気を前記ベルマウスの下方の空間内に吐き出す吐き出し部を備えた、ことを特徴とする。
【０００６】
上記構成において、前記吸い込み部はカバーを備え、空気が、カバーの内側を下から上に流れて前記電装箱に流入してもよい。
【０００７】
上記構成において、前記カバーの内側に埃、ミスト等の侵入を阻止するためのラビリンス構造を付加してもよい。
【０００８】
上記構成において、前記吐き出し部は前記ベルマウスの下方の空間内に突出する筒体を備え、この筒体を通った空気が、前記外装体内の気流の中に吐き出されてもよい。
【０００９】
上記構成において、前記筒体の底部が前下がりであってもよい。
【００１０】
上記構成において、前記電装箱内の背板に部品取り付け板を浮かせて配置し、この部品取り付け板の裏側を、上から下への空気の流通の通路としてもよい。
【００１１】
上記構成において、前記部品取り付け板の必要な箇所に開口を設け、電子部品をピンポイントに冷却可能としてもよい。
【発明の効果】
【００１２】
本発明によれば、外装体の正面に、電装箱を、送風機のベルマウスの略矩形状下端縁に背板を当接させて配置し、この電装箱は、当該電装箱の背板の上部に、電装箱の背板とベルマウスとの間の空間に開口する吸い込み部を備えるとともに、ベルマウスの下方の空間内に吐き出す吐き出し部を備えたため、吸い込み部と吐き出し部との間に圧力差が生じ、電装箱内に空気を通流させることができる。
【図面の簡単な説明】
【００１３】
【図１】本発明の実施形態に係る室外ユニットを示す斜視図である。
【図２】室外ユニットの内部構成を示す図であり、図１のＩＩ−ＩＩ断面図である。
【図３】フラットファンガードを外した状態の室外ユニットの上部を示す斜視図である。
【図４】図３の室外ユニットの上部を示す分解斜視図である。
【図５】前側天面パネル部を示す斜視図である。
【図６】後側天面パネル部を示す斜視図である。
【図７】フラットファンガードを固定した状態の室外ユニットを示す平面図である。
【図８】室外ユニットの前面パネルを外した状態の電装箱内部を示す正面図である。
【図９】電装箱の本体を背面側から示す斜視図である。
【図１０】図８のＸ−Ｘ断面を上方から示す斜視図である。
【図１１】図８のＸＩ−ＸＩ断面図である。
【図１２】電装箱の本体を正面側から示す斜視図である。
【図１３】電装箱の本体を示す左側面図である。
【図１４】図８のＸ−Ｘ断面を後方から示す斜視図である。
【発明を実施するための形態】
【００１４】
以下、図面を参照して本発明の実施形態について説明する。
空気調和装置は、室外ユニット１０と室内ユニット（図示せず）とから構成されており、冷媒配管により接続された冷媒回路に冷媒を流して、冷房運転および暖房運転を行う。室外ユニット１０は、室外に設置され、室外空気と熱交換して冷房運転時には冷媒を凝縮させて外気に熱を放出し、暖房運転時には冷媒を蒸発させて外気から熱を取り込むものである。なお、以下に述べる上下および左右といった方向は、室外ユニット１０を設置した状態でその前面側から見た場合の方向を示している。
【００１５】
図１は、室外ユニット１０を示す斜視図であり、図２は、室外ユニット１０の内部構成を示す図であり、図１のＩＩ−ＩＩ断面図である。
室外ユニット１０は、図１に示すように、略直方体箱形状のユニットケース（筐体、外装体）１１を備え、このユニットケース１１は、前後方向に延びる一対の脚部材１３，１３上に架け渡されて固定される底板１２と、この底板１２の４隅から鉛直方向に延びる支柱１４と、前面パネル１５を有して構成される。
底板１２上には、図２に示すように、上面視略コ字形状に屈曲されて形成された熱交換器２１が配置され、この熱交換器２１によってユニットケース１１の背面及び左右両側面が形成されている。この熱交換器２１の上部には、送風装置（軸流型送風装置、送風機）２２が配置される。熱交換器２１は、ユニットケース１１の側面部を構成し、このユニットケース１１の左側面から背面及び右側面に沿わせて配置されている。
【００１６】
送風装置２２は、熱交換器２１の上方に配置されるファンモーター２３と、このファンモーター２３の軸に取り付けられたプロペラファン（羽根車）２４とを備えて構成される。隣接する支柱１４，１４間には、熱交換器２１の上端に相当する位置で当該支柱１４，１４を連結する連結部材１６，１６（図４参照）が設けられ、ファンモーター２３は、これら連結部材間に架け渡された支持フレーム１７，１７に固定される。
プロペラファン２４の周囲には、プロペラファン２４の吸込側の空気を吹出側に案内するベルマウス２５が設けられ、このベルマウス２５の吹出開口２５Ａの上方は、図２に示すように、プロペラファン２４への人体などの接触を防止するフラットファンガード４０で覆われる。また、ベルマウス２５の周囲には、化粧パネル２７が設けられている。
【００１７】
ファンモーター２３によりプロペラファン２４が回転駆動されると、室外ユニット１０の周囲、より具体的には図中矢印Ｘで示すように、ユニットケース１１の前面を除いた左側面側、背面側及び右側面側から外気がユニットケース１１内に吸い込まれ、このユニットケース１１の上面部に設けられたベルマウス２５の吹出開口２５Ａを通じて外に排出される。つまり、この室外ユニット１０は、上面から熱交換後の空気を吹き出す上面吹き出しタイプに構成されている。
【００１８】
ユニットケース１１内には、底板１２上に、図示は省略するが、冷媒回路の一部を構成する圧縮機、アキュムレータ、オイルセパレーター及びレシーバータンクが設けられるとともに、四方弁や膨張弁といった弁体などの冷媒回路構成部品が配管接続されて収容される。これら冷媒回路構成部品の配管の一端側は、熱交換器２１を介して室内ユニットと配管接続され、当該冷媒回路構成部品の配管の他端側は室内ユニットに配管接続され、これにより、冷媒を循環する冷媒回路が構成される。
また、本構成では、圧縮機は、ユニットケース１１の前面側に配置され、この圧縮機の上方空間に空気調和装置を制御する制御基板などの各種電装ユニットを配設した電装箱５０が配置される。このため、前面パネル１５を取り外すことによって、作業者が前面側からユニットケース１１内の部品のメンテナンス作業を容易に行うことができる。符号２９は、圧縮機の上方、後方、及び左右側方に設けられ、圧縮機に直接雨滴がかからないようにするためのカバー板である。
【００１９】
次に、室外ユニット１０の上部の構造について説明する。
図３は、フラットファンガード４０を外した状態の室外ユニット１０の上部を示す斜視図である。図４は、図３の室外ユニット１０の上部を示す分解斜視図である。図５は、前側天面パネル部３３Ａを示す斜視図である。図６は、後側天面パネル部３３Ｂを示す斜視図である。図７は、フラットファンガード４０を固定した状態の室外ユニット１０を示す平面図である。
ベルマウス２５の後方及び左右側方は、図３及び図４に示すように、それぞれ背面パネル体３１及び側面パネル体（側板）３２，３２によって覆われている。ベルマウス２５は、ユニットケース１１の短尺長さ（本実施形態では、左右方向の幅）と略同一の大きさに形成されるとともに、吹出開口２５Ａに側面パネル体３２，３２に沿う直線部２５Ｂ，２５Ｂを備えている。各パネル体３１，３２は、上部を内側に折り曲げて形成した上端面（天面）３１Ａ，３２Ａを備えている。背面パネル体３１及び側面パネル体３２，３２は、側部が支柱１４に、下端が連結部材１６，１６に固定されている。
背面パネル体３１及び側面パネル体３２，３２には天面パネル体（端板）３３が設けられている。これらパネル体３１−３３は、板金製であり、ユニットケース（外装体）１１を構成している。
【００２０】
天面パネル体３３には、ベルマウス２５の吹出開口２５Ａを露出させる略円形の開口（内周部）３４が形成されている。天面パネル体３３は、前側天面パネル部３３Ａと、後側天面パネル部３３Ｂとを備えて半割一対に構成されている。本実施形態では、前側天面パネル部３３Ａと後側天面パネル部３３Ｂとは、ベルマウス２５の直線部２５Ｂ，２５Ｂの分だけ間を空けて設けられている。
【００２１】
前側天面パネル部３３Ａは、図５に示すように、ベルマウス２５（図４）の上方に位置する天面材３３Ａ１と、天面材３３Ａ１から立設する立設面３３Ａ２と、立設面３３Ａ２から前方の前面パネル１５（図１）に延出する上端面（天面）３３Ａ３とを一体に備えて構成されている。
後側天面パネル部３３Ｂは、図６に示すように、ベルマウス２５の上方に位置する天面材３３Ｂ１と、天面材３３Ｂ１から立設する立設面３３Ｂ２と、立設面３３Ｂ２から後方の背面パネル体３１に延出する上端面（天面）３３Ｂ３とを一体に備えて構成されている。
【００２２】
天面材３３Ａ１，３３Ｂ１の両側部には、図４−図６に示すように、下方に延出する延出片３３Ａ４，３３Ｂ４が設けられている。この延出片３３Ａ４，３３Ｂ４は、天面パネル部３３Ａ，３３Ｂを構成する板金を折り曲げることにより天面材３３Ａ１，３３Ｂ１と一体に形成されている。前側天面パネル部３３Ａは、上端面３３Ａ３が前面パネル１５（図３）及び支柱１４に、延出片３３Ａ４が側面パネル体３２，３２に固定されている。後側天面パネル部３３Ｂは、上端面３３Ｂ３が背面パネル体３１の上端面３１Ａに、延出片３３Ｂ４が側面パネル体３２，３２に固定されている。
【００２３】
パネル体３１−３３の上端面３１Ａ，３２Ａ，３３Ａ３，３３Ｂ３は、図７に示すように、略矩形状の内周縁３０を構成しており、これらの上端面３１Ａ，３２Ａ，３３Ａ３，３３Ｂ３にフラットファンガード４０が固定されている。
フラットファンガード４０は、フラット形状、且つ、略矩形状に形成されたファンガードであり、外周縁部（外周縁）４０Ａがパネル体３１−３３の内周縁３０よりも小さく形成されている。これにより、フラットファンガード４０とパネル体３１−３３との間に隙間δが形成されるので、フラットファンガード４０とパネル体３１−３３との接触を抑制できる。このフラットファンガード４０は、縦列、横列に複数の細線材４１を配列するとともに、細線材４１の間に太線材４２を配列して構成されている。フラットファンガード４０は、各辺が、複数箇所（本実施形態では、６箇所）でパネル体３１−３３の上端面３１Ａ，３２Ａ，３３Ａ３，３３Ｂ３にビス４９によって固定されている。なお、図７中、符号４３，４４は、いずれかの太線材４２の両端部４２Ａに設けられた、フラットファンガード４０を上端面３１Ａ，３２Ａ，３３Ａ３，３３Ｂ３に取り付けるための取り付け部である。
【００２４】
次に、電装箱５０の構造について説明する。
図８は、室外ユニット１０の前面パネル１５を外した状態の電装箱５０内部を示す正面図である。図９は、電装箱５０の本体を背面側から示す斜視図である。図１０は、図８のＸ−Ｘ断面を上方から示す斜視図である。図１１は、図８のＸＩ−ＸＩ断面図である。図１２は、電装箱５０の本体を正面側から示す斜視図である。図１３は、電装箱５０の本体を示す左側面図である。図１４は、図８のＸ−Ｘ断面を後方から示す斜視図である。なお、図８では、前面パネル１５、電装箱５０の蓋体及び電装箱５０内の各種の電子部品Ｃ（電子部品類）を省略している。また、本実施形態の方向は、室外ユニット１０を設置した状態でその前面側から見た場合の方向を示している。
【００２５】
電装箱５０は、図８に示すように、略矩形状の箱であり、前側を開放した本体５０Ａと、本体５０Ａの開口部を閉塞する蓋体５０Ｂ（図１０参照）とを備えている。本体５０Ａは、ユニットケース１１の幅より小さい幅を有し、ユニットケース１１の正面側の連結部材１６に背板５０Ａ１を当接させて配置されている。
ここで、図４及び図８に示すように、ベルマウス２５の下部は平面視で矩形に配置された連結部材１６，１６（ベルマウス２５の略矩形状下端縁）に載置する大きさに形成されており、このベルマウス２５によって、ユニットケース１１がベルマウス２５の外側の空間Ｒ１と、ベルマウス２５の内側及び下方の空間Ｒ２とに略仕切られている。
【００２６】
背板５０Ａ１の上部には、図９に示すように、電装箱５０内に空気を吸い込む吸い込み部５１が設けられている。吸い込み部５１は、図１０に示すように、電装箱５０の背板５０Ａ１とベルマウス２５との間の空間Ｒ１に開口する開口５１Ａを有している。開口５１Ａは、電装箱５０の幅方向に亘って設けられており、ねずみ等の侵入を防止するべく、電装箱５０の奥行き方向の寸法が所定寸法（本実施形態では、８ｍｍ）以下に形成されている。この吸い込み部５１は、上板５０Ａ２から下方に延出するカバー５１Ｂを上板５０Ａ２と一体に設けるとともに、上板５０Ａ２と間隔を空けて設けられた吸い込みガイド部５１Ｃを設け、吸い込みガイド部５１Ｃに通気孔５１Ｄを形成することで構成されている。したがって、開口５１Ａから吸い込まれた空気は、カバー５１Ｂの内側を下から上に流れて通気孔５１Ｄから電装箱５０内に流通する。このように、吸い込み部５１を、カバー５１Ｂを設けて構成したため、開口５１Ａに直接雨水等が掛からないようにすることができるので、雨水等が電装箱５０内に侵入することを防止でき、電子部品Ｃ類の防水構造を省くことができる。
【００２７】
電装箱５０内の電子部品Ｃ類の配置に応じて通気孔５１Ｄの位置や数、大きさ等を変更することで、通気孔５１Ｄからの空気の吹き出し方向を変更して、冷却が必要な電子部品Ｃへの流れを形成することができる。本実施形態では、吸い込みガイド部５１Ｃが、正面、下面、両側面を備えた正面断面視でコ字状に形成されており、吸い込みガイド部５１Ｃの正面及び下面に通気孔５１Ｄが形成されている。
カバー５１Ｂの内側には、電装箱５０の幅方向に延出する複数のリブ５１Ｅが上下方向に交互に重なるように配置されており、このリブ５１Ｅにより、埃やミスト等の侵入を阻止するためのラビリンス構造が吸い込み部５１に付加されている。これにより、埃やミスト等が電装箱５０内に侵入することを防止でき、電子部品Ｃ類の防水・防塵構造を省くことができる。
【００２８】
また、背板５０Ａ１の下部側には、図９及び図１１に示すように、電装箱５０内に入った空気を吐き出す吐き出し部５２が設けられている。吐き出し部５２は、ベルマウス２５の下方の空間Ｒ２に開口する開口５２Ａを有している。このように、吸い込み部５１をベルマウス２５の外側の空間Ｒ１に開口させ、吐き出し部５２をベルマウス２５の下方の、送風機２２（図１０）によって風が下から上に流れる空間Ｒ２に開口させたため、吸い込み部５１と吐き出し部５２との間に圧力差が生じ、電装箱５０内に空気を通流させることができる。
【００２９】
吐き出し部５２は先端を開口５２Ａとした筒体５２Ｂを備え、この筒体５２Ｂは、背板５０Ａ１からベルマウス２５の下方の空間Ｒ２内に突出している。これにより、吐き出し部５２の開口５２Ａがユニットケース１１内の気流の中に位置することとなるので、吸い込み部５１と吐き出し部５２との間の差圧をより大きくでき、吸い出し効果を向上できる。筒体５２Ｂは、電装箱５０の幅方向に薄く形成されている。
【００３０】
また、筒体５２Ｂは、前（先端側）下がりに形成された底部５２Ｂ１を有している。これにより、電装箱５０内に雨水等が浸入することを防止でき、ひいては、電子部品Ｃ類の防水・防塵構造を省くことができる。また、勾配のある底部５２Ｂ１により、筒体５２Ｂから吐き出される空気が底部５２Ｂ１付近で曲げられる角度が緩やかになるので、筒体５２Ｂ内部での渦の発生を抑制でき、スムーズに空気を吐出させることができる。また、底部５２Ｂ１に勾配を設けることで、開口５２Ａの流路断面積が増大するので、通気風量を増加させることができる。
【００３１】
電装箱５０内には、図１１及び図１２に示すように、筒体５２Ｂに連結されるとともに、電装箱５０の側板５０Ａ３と間隔を空けて上側に延出する吐き出しガイド部５２Ｃが設けられており、吐き出しガイド部５２Ｃの上部に通気孔５２Ｄが形成されている。したがって、上板５０Ａ２の通気孔５１Ｄ（図１０）からの空気は、通気孔５２Ｄから吐き出しガイド部５２Ｃ及び筒体５２Ｂ内に流通し、筒体５２Ｂの開口５２Ａからベルマウス２５の下方の空間Ｒ２内に吐き出される。通気孔５２Ｄは、ねずみ等の侵入を防止するべく、最大寸法が所定寸法（本実施形態では、８ｍｍ）以下に形成される。本実施形態の通気孔５２Ｄは、例えば、細長に形成され、短尺方向の寸法が所定寸法以下に形成されている。
【００３２】
電装箱５０内の背板５０Ａ１には、図１０に示すように、電子部品Ｃを取り付ける部品取り付け板５３が浮かせて配置されるとともに、背板５０Ａ１と部品取り付け板５３との間の上板５０Ａ２に通気孔５１Ｆが形成されている。これにより、部品取り付け板５３の裏側に上から下への空気の流通の通路が形成されるので、この通路を流通する空気と、部品取り付け板５３の表側を流通する空気によって部品取り付け板５３に取り付けられた電子部品Ｃが冷却される。この部品取り付け板５３には、図８に示すように、開口５３Ａが形成されており、開口５３Ａ近傍に設けた電子部品Ｃをピンポイントに冷却可能としている。ここで、開口５３Ａの位置は特に限定されるものではなく、必要な箇所に配置される。なお、図８中、符号５３Ｂ，５３Ｂは、本体５０Ａを連結部材１６に固定する固定具（不図示）を挿入するための貫通孔である。
また、部品取り付け板５３には、図８及び図１０に示すように、電子部品Ｃを取り付ける部品取り付け板５４が浮かせて配置されている。なお、本実施形態では、部品取り付け板５３，５４上の電子部品Ｃを効果的に冷却すべく、上記通気孔５１Ｄは、部品取り付け板５３の前側と、部品取り付け板５４の前後に設けられている。
【００３３】
電装箱５０の下部には、図８、図１１及び図１２に示すように、電装箱５０内に空気を吸い込む第２の吸い込み部５６が設けられている。より詳細には、電装箱５０の下板５０Ａ４には、一端側（本実施形態では、ユニットケース１１の左側）に、電装箱５０内を露出する露出部５６Ａが形成されている。この露出部５６Ａに対応する背板５０Ａ１の下部には、電子部品Ｃを取り付ける部品取り付け台５５が設けられている。部品取り付け台５５は、箱形に形成され、下部が露出部５６Ａから下方に突出するように配置されている。部品取り付け台５５には、露出部５６Ａから突出した下部の下壁５５Ａ、上壁５５Ｂ及び右側壁５５Ｃには、それぞれ通気孔５６Ｂ、通気孔５６Ｃ，５６Ｄが形成されている。すなわち、通気孔５６Ｂから吸い込まれた空気が、部品取り付け台５５内で風速を落とした後、通気孔５６Ｃ，５６Ｄから電装箱５０内に流通する。これにより、雨水や、埃、ミスト等が電装箱５０内に侵入することを防止でき、ひいては、電子部品Ｃ類の防水・防塵構造を省くことができる。
【００３４】
また、部品取り付け台５５内には、図１３に示すように、電装箱５０の幅方向に延出する複数のリブ５６Ｅが上下方向に交互に重なるように配置されており、このリブ５６Ｅにより、埃やミスト等の侵入を阻止するためのラビリンス構造が第２の吸い込み部５６に付加されている。これにより、埃やミスト等が電装箱５０内に侵入することを防止でき、電子部品Ｃ類の防水・防塵構造を省くことができる。
【００３５】
また、背板５０Ａ１の下部には、図８、図１２及び図１４に示すように、電装箱５０内に入った空気を吐き出す第２の吐き出し部５７が設けられている。第２の吐き出し部５７は、ベルマウス２５の下方の空間Ｒ２に開口する開口５７Ａを有している。このように、第２の吸い込み部５６を前面パネル１５側に設けてユニットケース１１内の下から上に向かう風の流れから分離し、第２の吐き出し部５７をベルマウス２５の下方の、送風機２２によって風が下から上に流れる空間Ｒ２に開口させたため、第２の吸い込み部５６と第２の吐き出し部５７との間に圧力差が生じ、電装箱５０内に空気を通流させることができる。
【００３６】
下板５０Ａ４には、吐き出しガイド部５７Ｂが浮かせて配置され、上記開口５７Ａは下板５０Ａ４と吐き出しガイド部５７Ｂとの間であって、部品取り付け台５５側に位置している。吐き出しガイド部５７Ｂには通気孔５７Ｃが形成されている。したがって、通気孔５６Ｄからの空気が通気孔５７Ｃから吐き出しガイド部５７Ｂ内に流通し、開口５７Ａからベルマウス２５の下方の空間Ｒ２内に吐き出される。通気孔５７Ｃは、第２の吸い込み部５６の通気孔５６Ｄと電装箱５０の幅方向において離れた他端側（本実施形態では、右側）に設けられているため、通気孔５６Ｄと通気孔５７Ｃとの間の背板５０Ａ１に配置された電子部品Ｃを効果的に冷却できる。また、通気孔５７Ｃは、開口５７Ａと電装箱５０の幅方向において離れた位置に設けられているため、例えば送風機２２の停止中に雨風が強く、開口５７Ａから雨水等が侵入して、雨水等が電装箱５０内に侵入するのを防止できる。
【００３７】
背板５０Ａ１には、図９及び図１４に示すように、第２の吐き出し部５７の開口５７Ａの上方に、ヒートシンク５８が設けられている。ヒートシンク５８は、背板５０Ａ１に設けた貫通孔５８Ａを覆う大きさに形成されている。ヒートシンク５８は、上下方向に延出するフィン５８Ｂを備えている。また、ヒートシンク５８を側方及び後方を覆うようにガイドカバー５８Ｃが設けられており、ガイドカバー５８Ｃの上部には、斜め上方に突出する突出片５８Ｃ１が形成されている。このガイドカバー５８Ｃによってユニットケース１１内を下から上に向かう空気が導かれて、効率良くフィン５８Ｂ間を通る。また、突出片５８Ｃ１によって、ガイドカバー５８Ｃの上流側と下流側に差圧が生じるので、ガイドカバー５８Ｃ内を空気がスムーズに流れることとなる。また、ヒートシンク５８が開口５７Ａの上方に設けられているため、開口５７Ａの屋根部として機能するので、開口５７Ａに直接雨等の水が掛かるのを抑制できる。
なお、符号５９は、電子部品Ｃの配線を固定するベルトである。
【００３８】
以上説明したように、本実施形態によれば、ユニットケース１１の正面に、電装箱５０を、送風機２２のベルマウス２５の略矩形状下端縁である連結部材１６，１６に背板５０Ａ１を当接させて配置し、この電装箱５０は、当該電装箱５０の背板５０Ａ１の上部に、電装箱５０の背板５０Ａ１とベルマウス２５との間の空間Ｒ１に開口する吸い込み部５１を備え、この吸い込み部５１から圧力差で吸い込んだ空気を、電装箱５０内を通流させて電装箱５０内の電子部品Ｃ類を冷却し、この空気をベルマウス２５の下方の空間Ｒ２内に吐き出す吐き出し部５２を備える構成とした。この構成により、吸い込み部５１と吐き出し部５２との間に圧力差が生じ、電装箱５０内に空気を通流させることができる。
【００３９】
また、本実施形態によれば、吸い込み部５１はカバー５１Ｂを備え、空気が、カバー５１Ｂの内側を下から上に流れて電装箱５０に流入する構成とした。この構成により、開口５１Ａに直接雨水等が掛からないようにすることができるので、雨水等が電装箱５０内に侵入することを防止できる。
【００４０】
また、本実施形態によれば、カバー５１Ｂの内側に埃、ミスト等の侵入を阻止するためのラビリンス構造を構成するリブ５１Ｅを付加した。このため、電装箱５０内に埃、ミスト等の侵入することを阻止できる。
【００４１】
また、本実施形態によれば、吐き出し部５２はベルマウス２５の下方の空間Ｒ２内に突出する筒体５２Ｂを備え、この筒体５２Ｂを通った空気が、ユニットケース１１内の気流の中に吐き出される構成とした。この構成により、吐き出し部５２の開口５２Ａがユニットケース１１内の気流の中に位置することとなるので、吸い込み部５１と吐き出し部５２との間の差圧をより大きくでき、吸い出し効果を向上できる。
【００４２】
また、本実施形態によれば、筒体５２Ｂの底部５２Ｂ１が前下がりであるため、電装箱５０内に雨水等が浸入することを防止できる。
【００４３】
また、本実施形態によれば、電装箱５０内の背板５０Ａ１に部品取り付け板５３を浮かせて配置し、この部品取り付け板５３の裏側を、上から下への空気の流通の通路とした。このため、部品取り付け板５３の裏側にも空気を流通させて、部品取り付け板５３の表及び裏側から部品取り付け板５３に取り付けた電子部品Ｃを冷却できる。
【００４４】
また、本実施形態によれば、部品取り付け板５３の必要な箇所に開口５３Ａを設け、電子部品Ｃをピンポイントに冷却可能としたため、より冷却が必要な電子部品Ｃを確実に冷却できる。
【００４５】
但し、上記実施形態は本発明の一態様であり、本発明の趣旨を逸脱しない範囲において適宜変更可能であるのは勿論である。
例えば、上記実施形態では、フラットファンガード４０はフラット形状、且つ、略矩形状に形成されていたが、フラットファンガード４０の形状はこれに限定されるものではない。
【符号の説明】
【００４６】
１０  室外ユニット
１１  ユニットケース（外装体）
１６  連結部（下端縁）
２２  送風装置（送風機）
２５  ベルマウス
５０  電装箱
５０Ａ１  背板
５１  吸い込み部
５１Ｂ  カバー
５１Ｅ  リブ（ラビリンス構造）
５２  吐き出し部
５２Ｂ  筒体
５２Ｂ１  底部
５３，５４  部品取り付け板
５３Ａ  開口
Ｃ  電子部品
Ｒ１  空間
Ｒ２  空間
【図１】
2014129924.tif 000003
【図２】
2014129924.tif 000004
【図３】
2014129924.tif 000005
【図４】
2014129924.tif 000006
【図５】
2014129924.tif 000007
【図６】
2014129924.tif 000008
【図７】
2014129924.tif 000009
【図８】
2014129924.tif 000010
【図９】
2014129924.tif 000011
【図１０】
2014129924.tif 000012
【図１１】
2014129924.tif 000013
【図１２】
2014129924.tif 000014
【図１３】
2014129924.tif 000015
【図１４】
2014129924.tif 000016